(57)【要約】【課題】ストリップ部材片の幅方向の端部を重ねて接合し、シート状タイヤ構成部材を製造するとき、複数種類を省スペース、高生産性で製造する。【解決手段】  コンベア上に配置されたストリップ部材片201(I)の上に、ストリップ部材片301(II)を幅方向にＬαにずらして重ねる。ストリップ部材片301(II)の上に、ストリップ部材片401(III)を幅方向にＬβずらして重ねる。ストリップ部材片201(IV)の幅方向の端部をストリップ部材片201(I)の幅方向の端部に接合する。ストリップ部材片301(V)の幅方向の端部をストリップ部材片301(II)の幅方向の端部に接合する。ストリップ部材片401(VI)の幅方向の端部をストリップ部材片401(III)の幅方向の端部に接合する。３種類のシート状タイヤ構成部材の積層体を製造し、成型ドラムに１度に巻き付ける。【選択図】図２
2008221638.tif 000002
【特許請求の範囲】
【請求項１】
所定幅及び所定長を有するストリップ部材片の幅方向の端部を所定枚重ねて接合し、所定幅及び所定長のシート状タイヤ構成部材を製造する方法であって、
それぞれが所定幅及び所定長を有する複数種類のストリップ部材片を幅方向にずらし重ねて支持体上に配置する第１の工程と、前記支持体上に重ねて配置された複数種類のストリップ部材片の各々の幅方向の端部に、各々のストリップ部材片と同じ種類のストリップ部材片の幅方向の端部を重ねて接合する第２の工程とを有し、該第２の工程を前記所定幅及び所定長を有する複数種類のシート状タイヤ構成部材の積層体が形成されるまで繰り返すことを特徴とするシート状タイヤ構成部材の製造方法。
【請求項２】
請求項１記載のシート状タイヤ構成部材の製造方法において、
前記第１の工程は、第１のシート状タイヤ構成部材を製造するための所定幅を有する第１のストリップ部材の連続体の所定量を前記支持体上に配置する工程と、前記支持体上に配置された第１のストリップ部材を前記第１のシート状タイヤ構成部材の前記所定幅に相当する長さに切断して第１のストリップ部材片を形成する工程と、第２乃至第ｎ（ｎは２以上の整数）のシート状タイヤ構成部材を製造するための所定幅を有する第２乃至第ｎのストリップ部材の連続体の所定量を順次幅方向にずらしながら重ねて配置する工程と、前記第２至第ｎのシート状タイヤ構成部材の各々の前記所定幅に相当する長さに切断して第２至第ｎのストリップ部材片を形成する工程とからなることを特徴とするシート状タイヤ構成部材の製造方法。
【請求項３】
請求項２記載のシート状タイヤ構成部材の製造方法において、
前記第２の工程は、前記第１のストリップ部材の連続体の次の所定量を前記支持体上に重ねて配置された第１のストリップ部材片の幅方向の端部に重ねて貼り付ける工程と、該貼り付けられた第１のストリップ部材の連続体を前記第１のシート状タイヤ構成部材の前記所定幅に相当する長さに切断して第１のストリップ部材片を形成する工程と、順次前記第２乃至第ｎ（ｎは２以上の整数）のストリップ部材の連続体の次の所定量を前記支持体上に重ねて配置された第２乃至第ｎのストリップ部材片の幅方向の端部に重ねて貼り付ける工程と、該貼り付けられた第２乃至第ｎのストリップ部材の連続体を前記第２乃至第ｎのシート状タイヤ構成部材の前記所定幅に相当する長さに切断して第２乃至第ｎのストリップ部材片を形成する工程とからなることを特徴とするシート状タイヤ構成部材の製造方法。
【請求項４】
請求項２記載のシート状タイヤ構成部材の製造方法において、
前記第１のストリップ部材は、接着防止用の剥離層が付加された樹脂フィルムであり、前記第１のストリップ部材の連続体の所定量を前記支持体上に配置する工程は、前記剥離層を剥離しながら配置することを特徴とするシート状タイヤ構成部材の製造方法。
【請求項５】
請求項１記載のシート状タイヤ構成部材の製造方法において、
前記第１の工程及び第２の工程は、前記ストリップ部材片を重ねて配置及び接合するときに、前記支持体を前記ストリップ部材片の幅方向に移動させることで、前記支持体上のストリップ部材片を幅方向にずらすことを特徴とするシート状タイヤ構成部材の製造方法。
【請求項６】
請求項１記載のシート状タイヤ構成部材の製造方法において、
前記第１の工程及び第２の工程は、前記ストリップ部材片を重ねて配置及び接合するときに、各ストリップ部材片の端部の重ね幅だけ幅方向にずれた位置から前記支持体上に供給することを特徴とするシート状タイヤ構成部材の製造方法。
【請求項７】
所定幅及び所定長を有するストリップ部材片の幅方向の端部を所定枚重ねて接合し、所定幅及び所定長のシート状タイヤ構成部材を製造する装置であって、
前記ストリップ部材片を接合するときに載せるための支持体と、第１のシート状タイヤ構成部材を製造するための所定幅を有する第１のストリップ部材の連続体の所定量を前記支持体上に配置する手段と、前記支持体上に配置された第１のストリップ部材の連続体を第１のシート状タイヤ構成部材の所定幅に相当する長さに切断して第１のストリップ部材片を形成する手段と、第２乃至第ｎ（ｎは２以上の整数）のシート状タイヤ構成部材を製造するための所定幅を有する第２乃至第ｎのストリップ部材の連続体の所定量を順次幅方向にずらしながら重ねて配置することが可能な第２乃至第ｎのストリップ部材供給手段と、前記支持体上に供給された第２乃至第ｎのストリップ部材を前記第２至第ｎのシート状タイヤ構成部材の各々の前記所定幅に相当する長さに切断して第２至第ｎのストリップ部材片を形成する手段と、前記支持体を前記各ストリップ部材の幅方向へ搬送する手段とを有することを特徴とするシート状タイヤ構成部材の製造装置。
【請求項８】
請求項７記載のシート状タイヤ構成部材の製造装置において、
前記第１のストリップ部材は、接着防止用の剥離層が付加された樹脂フィルムであり、前記配置する手段は、前記樹脂フィルムの所定量を前記支持体の上方に搬送する第１の搬送手段と、前記支持体の上方に搬送された樹脂フィルムから剥離層を剥離しながら該樹脂フィルムを前記貼付け体上に配置する配置手段とを有することを特徴とするシート状タイヤ構成部材の製造装置。
【発明の詳細な説明】
【技術分野】
【０００１】
本発明は、インナーライナー、カーカスプライ等のタイヤ構成部材を製造する方法及びその装置に関し、より詳細には、所定幅及び所定長を有するストリップ部材片の幅方向の端部を所定枚重ねて接合し、前記所定長に相当する幅及び前記所定幅の所定枚数倍に対応する長さを有するシート状タイヤ構成部材を製造する方法及び装置に関する。
【背景技術】
【０００２】
空気入りタイヤは、図６に示すように、２本の環状のビードコア72，72に両端を固定されてタイヤ幅方向外側にカーカスプライ73が膨出し、カーカスプライ73の外周側にはベルト74を挟んでトレッドゴム75が設けられ、カーカスプライ73の両側方にはサイドウオールゴム76が貼り付けられ、全体が略環状に形成されている。また、この空気入りタイヤ71のカーカスプライ73の内側にインナーライナー77が貼り付けられている。ここで、一方のビード部のタイヤ半径方向内側端からインナーライナー77の内周面に沿って他方のビード部のタイヤ半径方向内側端に至るまでの長さをインナーペリフェリＷsと言う。従って、インナーライナー77の幅はインナーペリフェリＷsと略等しい。また、インナーライナー77の長さはタイヤのリム径にπ（円周率≒3.14）を乗算した値と略等しい（実際には、ドラム上の巻き付け時の長さがこの値に等しい）。
【０００３】
従来、このようなインナーライナーを製造するための装置として、一定幅を有する帯状ゴム部材の連続体を一定長毎に切断することにより作成した所定枚の帯状ゴム部材片の幅方向の端部を重ねて接合することにより、前記一定長に相当する幅、並びに前記一定幅及び所定枚数に応じた様々な長さを有するシート状タイヤ構成部材を製造する装置が提案されている（特許文献１参照）。
【０００４】
図７は、特許文献１に開示されているインナーライナー製造装置の概略構成を示す図である。押出し機110は、投入されたゴム材をスクリューで混練しながらローラヘッド111に送り、ローラヘッド111によりストリップ部材（帯状ゴム部材）101に成型して連続的に押出していく。ローラヘッド111は、上ローラ111aがプロファイル付きで下ローラ111bがフラットである。
【０００５】
このような上ローラ111aと下ローラ111bに挟まれて押出されるストリップ部材101は、幅は98.8mm、厚さは中央部が1.0mmで幅方向両端が先細に形成されている。詳細には、図８に示すように、ストリップ部材101の幅方向断面は、厚さ1.0mmの偏平な台形であり、下底の長さが98.8mmで中央部101aの上底の幅が60.8mm、両端部101b，101bの幅が19mmで先細に形成され、先細の角度は約３度である。また、ストリップ部材101の幅は直径１インチの円の周長ｐ（＝79.8mm）に重ね代として19mmを加えた98.8mmとしている。
【０００６】
押出機110は、ストリップ部材101の部材幅安定化のため定量押出し用のギアポンプ110aが内蔵されたギアポンプ押出機であり、ギアポンプ110aの入口と出口に圧力センサー110b，110cが設けられ、両圧力センサーからの検出値を基に入口の圧力センサー110bの検出値が一定となるように押出機110のスクリューの回転を制御する。また、押出されたストリップ部材101の幅をラインセンサ112で検出し、この検出値に基づきローラヘッド111の回転を制御している。ストリップ部材101の幅は、ローラヘッド111とギアポンプ110aの回転のドロー比で決まる。
【０００７】
このようにして所定形状に成形されて押出されたストリップ部材101は、フェスツーン113を経て、コンベアベルト115にその側方の定位置から直角に供給される。このとき、ストリップ部材101はカッター114によりコンベアベルト115の搬送方向に沿って所定長Ｗに切断され、ストリップ部材片（帯状ゴム部材片）102とされる。この所定長Ｗは前記インナーペリフェリＷsに等しい。ここでは、コンベアベルト115は矢印Ｘ方向へ搬送される。
【０００８】
ストリップ部材片102がコンベアベルト115の所定位置に載置されると、コンベアベルト115を回転させ、ストリップ部材片102を直径１インチの円の周長ｐである79.8（＝98.8−19.0）mm矢印Ｘ方向に前進させる。次いで再びストリップ部材101をコンベアベルト115の側方から供給し、所定長に切断してコンベアベルト115上に載せると、図９に示すように、79.8mm前進した先行のストリップ部材片102に新たなストリップ部材片102が19.0mm幅の端部102bを重ねて載置されるので、重畳された端部同士を押圧して接合する。以上の工程を繰り返すことにより、図９に示すようにコンベアベルト115上でストリップ部材片102を順次連結していく。
【０００９】
そして、タイヤのリム径に応じてストリップ部材片102を所要枚数接合することにより、インナーライナー103が製造される。即ちリム径がｎインチのタイヤの場合は、ｎ枚のストリップ部材片102を接合することでそのタイヤ用のインナーライナー103が製造される。例えばリム径が17インチの場合は、図１０に示すように17枚のストリップ部材片102を接合すると、インナーペリフェリＷsに等しいＷの幅でｐ×17（＝79.8mm×17＝1356.6mm＝Ｐ）に重ね代19.0mmを加算した1375.6mmの長さのインナーライナー103が形成される。このインナーライナー103は図示しない成型ドラムに巻き付けられ、先端と後端の幅19.0mmの端部同士が重ね合わされて接合され、環状とされるので、その周長はＰ（＝1356.6mm）であり、リム径17インチのリムの周長である17×π×25.4mmと等しくなる。
【００１０】
以上のように押出機110は、98.8mmの幅狭のストリップ部材101を形成するので、小型で設置スペースも小さくてすむ。そして、このストリップ部材101をコンベアベルト115に供給し、インナーペリフェリＷsに切断してストリップ部材片102として移動させ、再びストリップ部材101をコンベアベルト115に供給して切断し、ストリップ部材片102の端縁部を先行のストリップ部材片102に重ねて接合し、この工程を繰り返して所要枚数のストリップ部材片を順次接合してインナーペリフェリＷsを部材幅とし、重ね代を含めないでリム周長Ｐを長さとするインナーライナーを効率良く製造することができる。
【００１１】
しかしながら、前記特許文献１に記載されたタイヤ構成部材の製造装置では、リム径１インチ当たり１枚のストリップ部材片102を使用するため、リム径が大きくなるにつれて多数のストリップ部材片102を接合することが必要となる。このため、タイヤ１本分のインナーライナー103の製造に要する時間が長くなり生産性が低下するという問題がある。
【００１２】
そこで、このような問題を解決するため、本願発明の出願人は、ストリップ部材として、特許文献１に記載されている直径１インチの円の周長ｐ（＝79.8mm）に重ね代の19mmを加えた98.8mmの幅を有するゴム製のストリップ部材に代えて、直径２インチや３インチの円の周長に一定長を加えた幅を有する樹脂フィルム製のストリップ部材を用いるとともに、製造するタイヤのリム径に応じて、所定の枚数のストリップ部材を前記一定長以内の重ね代を設けて接合するようにしたシート状タイヤ構成部材の製造方法及び製造装置に関する発明を提案した（特願２００６−３０７７１９号：平成１８年１１月１４日出願）。
【００１３】
このシート状タイヤ構成部材の製造方法により、直径２インチの円の周長（＝２インチ×π≒２×25.4×3.14＝159.5mm）に重ね代となる一定幅Ｌjを加えた幅を有するストリップ部材片を接合して、リム径が12インチのタイヤ及び13インチのタイヤのインナーライナーを製造する方法の概要について、図１１を参照しながら説明する。
【００１４】
この図のＡに示すように、ストリップ部材片201は、幅方向断面形状が偏平な長方形であり、幅方向長が直径２インチの円の周長に一定幅Ｌjを加えた長さを有する。このストリップ部材片201から、リム径が12インチのタイヤのインナーライナーを製造するときは、この図のＢに示すように、ストリップ部材片201を６枚用意し、それらの幅方向の端部を一定幅Ｌjずつ重ねて接合することにより、「12インチ×π＋Ｌj」の長さとし、図示しない成型ドラム上で６枚のストリップ部材片201の接合体の両端（図１１Ｂの左端及び右端）をＬj重ねて円筒状に接合する。また、リム径が13インチのタイヤのインナーライナーを製造するときは、この図のＣに示すように、ストリップ部材片201を６枚用意し、それらの幅方向の端部を「Ｌj−0.2インチ×π」ずつ重ねて接合することにより、「13インチ×π＋Ｌj」の長さとし、図示しない成型ドラム上で６枚のストリップ部材片201の接合体の両端（図１１Ｃの左端及び右端）をＬj重ねて円筒状に接合する。
【００１５】
同様に、リム径が14インチの場合は７枚のストリップ部材片201を用意し、それらの幅方向の端部を一定幅Ｌjずつ重ねて接合することにより、「14インチ×π＋Ｌj」の長さとし、リム径が15インチの場合は７枚のストリップ部材片201を用意し、それらの幅方向の端部を「Ｌj−（1/7）インチ×π」ずつ重ねて接合することにより、「15インチ×π＋Ｌj」の長さとする。つまり、幅方向長が直径２インチの円の周長に一定幅Ｌjを加えた長さを有するストリップ部材片201を用いる場合、リム径のインチ数が２の倍数の場合はＬjずつ重ねて接合し、２の倍数よりも１多い場合は、重ね代の総和が「１インチ×π」短くなるように、個々の重ね代を短くしている。ストリップ部材片201の幅方向長さを直径３インチの円の周長に一定幅を加えた長さにした場合についても、同様にして、各種サイズのリム径を有するタイヤのインナーライナーを製造することができる。
【００１６】
この方法によれば、タイヤ１本分のインナーライナーの製造に必要なストリップ部材数が低減されるため、接合時間が短くなる。また、ストリップ部材片として、帯状ゴム部材片よりも厚さの薄い樹脂フィルム片を用い、かつその使用枚数を低減することにより、タイヤのユニフォーミティの悪化を抑えることができる。また、この方法は、インナーライナーに限らず、カーカスプライなどの各種シート状タイヤ構成部材を製造することができ、小規模の設備で多品種少量生産が可能な設備の実現に大きな効果を有するものである。
【００１７】
しかしながら、この方法により複数種類のシート状タイヤ構成部材を製造する場合、図１２に示すように、それぞれのシート状タイヤ構成部材製造装置200、300を用意し、ストリップ部材片201、301を接合してシート状タイヤ構成部材202及び302を製造し、順番にタイヤ成型ドラム210に巻き付けることになるため、シート状タイヤ構成部材製造装置が部材数だけ必要になる。このため、省スペース向け製造設備であることのメリットが充分に享受できないという問題がある。
【００１８】
また、タイヤ１本分のシート状タイヤ構成部材は、ローラヘッドを備える押出機によりインナーペリフェリＷsに略等しい部材幅のシート状部材を連続的に形成し、所定長に切断して製造することが一般的であるが、この一般的な製造方法によりシート状タイヤ構成部材を製造する方法は、カレンダー設備によりタイヤ幅分のシートを押し出し、次いでそのシートを裁断する旧来製法と比べても、タイヤ１本分のシート状タイヤ構成部材の製造に要する時間が長い。このため、複数種類のシート状タイヤ構成部材を図１１に示す製造方法により製造する場合、それらを一般的な製造方法により製造する場合と比べると、時間差が累積され、生産性が低下するという問題がある。
【００１９】
【特許文献１】ＷＯ２００２／５５２８９号公報
【発明の開示】
【発明が解決しようとする課題】
【００２０】
本発明は、前記従来の問題点に鑑みてなされたものであり、その目的は、所定幅及び長さを有するストリップ部材片の幅方向の端部を重ねて接合することにより、シート状タイヤ構成部材を製造する方法及び装置において、複数種類のシート状タイヤ構成部材を省スペース、かつ高い生産性で製造できるようにすることである。
【課題を解決するための手段】
【００２１】
請求項１の発明は、所定幅及び所定長を有するストリップ部材片の幅方向の端部を所定枚重ねて接合し、所定幅及び所定長のシート状タイヤ構成部材を製造する方法であって、それぞれが所定幅及び所定長を有する複数種類のストリップ部材片を幅方向にずらし重ねて支持体上に配置する第１の工程と、前記支持体上に重ねて配置された複数種類のストリップ部材片の各々の幅方向の端部に、各々のストリップ部材片と同じ種類のストリップ部材片の幅方向の端部を重ねて接合する第２の工程とを有し、該第２の工程を前記所定幅及び所定長を有する複数種類のシート状タイヤ構成部材の積層体が形成されるまで繰り返すことを特徴とするシート状タイヤ構成部材の製造方法である。
請求項２の発明は、請求項１記載のシート状タイヤ構成部材の製造方法において、前記第１の工程は、第１のシート状タイヤ構成部材を製造するための所定幅を有する第１のストリップ部材の連続体の所定量を前記支持体上に配置する工程と、前記支持体上に配置された第１のストリップ部材を前記第１のシート状タイヤ構成部材の前記所定幅に相当する長さに切断して第１のストリップ部材片を形成する工程と、第２乃至第ｎ（ｎは２以上の整数）のシート状タイヤ構成部材を製造するための所定幅を有する第２乃至第ｎのストリップ部材の連続体の所定量を順次幅方向にずらしながら重ねて配置する工程と、前記第２至第ｎのシート状タイヤ構成部材の各々の前記所定幅に相当する長さに切断して第２至第ｎのストリップ部材片を形成する工程とからなることを特徴とする。
請求項３の発明は、請求項２記載のシート状タイヤ構成部材の製造方法において、前記第２の工程は、前記第１のストリップ部材の連続体の次の所定量を前記支持体上に重ねて配置された第１のストリップ部材片の幅方向の端部に重ねて貼り付ける工程と、該貼り付けられた第１のストリップ部材の連続体を前記第１のシート状タイヤ構成部材の前記所定幅に相当する長さに切断して第１のストリップ部材片を形成する工程と、順次前記第２乃至第ｎ（ｎは２以上の整数）のストリップ部材の連続体の次の所定量を前記支持体上に重ねて配置された第２乃至第ｎのストリップ部材片の幅方向の端部に重ねて貼り付ける工程と、該貼り付けられた第２乃至第ｎのストリップ部材の連続体を前記第２乃至第ｎのシート状タイヤ構成部材の前記所定幅に相当する長さに切断して第２乃至第ｎのストリップ部材片を形成する工程とからなることを特徴とする。
請求項４の発明は、請求項２記載のシート状タイヤ構成部材の製造方法において、前記第１のストリップ部材は、接着防止用の剥離層が付加された樹脂フィルムであり、前記第１のストリップ部材の連続体の所定量を前記支持体上に配置する工程は、前記剥離層を剥離しながら配置することを特徴とする。
請求項５の発明は、請求項１記載のシート状タイヤ構成部材の製造方法において、前記第１の工程及び第２の工程は、前記ストリップ部材片を重ねて配置及び接合するときに、前記支持体を前記ストリップ部材片の幅方向に移動させることで、前記支持体上のストリップ部材片を幅方向にずらすことを特徴とする。
請求項６の発明は、請求項１記載のシート状タイヤ構成部材の製造方法において、前記第１の工程及び第２の工程は、前記ストリップ部材片を重ねて配置及び接合するときに、各ストリップ部材片の端部の重ね幅だけ幅方向にずれた位置から前記支持体上に供給することを特徴とする。
請求項７の発明は、所定幅及び所定長を有するストリップ部材片の幅方向の端部を所定枚重ねて接合し、所定幅及び所定長のシート状タイヤ構成部材を製造する装置であって、前記ストリップ部材片を接合するときに載せるための支持体と、第１のシート状タイヤ構成部材を製造するための所定幅を有する第１のストリップ部材の連続体の所定量を前記支持体上に配置する手段と、前記支持体上に配置された第１のストリップ部材の連続体を第１のシート状タイヤ構成部材の所定幅に相当する長さに切断して第１のストリップ部材片を形成する手段と、第２乃至第ｎ（ｎは２以上の整数）のシート状タイヤ構成部材を製造するための所定幅を有する第２乃至第ｎのストリップ部材の連続体の所定量を順次幅方向にずらしながら重ねて配置することが可能な第２乃至第ｎのストリップ部材供給手段と、前記支持体上に供給された第２乃至第ｎのストリップ部材を前記第２至第ｎのシート状タイヤ構成部材の各々の前記所定幅に相当する長さに切断して第２至第ｎのストリップ部材片を形成する手段と、前記支持体を前記各ストリップ部材の幅方向へ搬送する手段とを有することを特徴とするシート状タイヤ構成部材の製造装置である。
請求項８の発明は、請求項７記載のシート状タイヤ構成部材の製造装置において、前記第１のストリップ部材は、接着防止用の剥離層が付加された樹脂フィルムであり、前記配置する手段は、前記樹脂フィルムの所定量を前記支持体の上方に搬送する第１の搬送手段と、前記支持体の上方に搬送された樹脂フィルムから剥離層を剥離しながら該樹脂フィルムを前記貼付け体上に配置する配置手段とを有することを特徴とする。
【００２２】
（作用）
本発明によれば、複数種類のストリップ部材片を幅方向にずらし重ねて支持体上に配置し、次いで支持体上に重ねて配置された複数種類のストリップ部材片の各々の幅方向の端部に、各々のストリップ部材片と同じ種類のストリップ部材片の幅方向の端部を重ねて接合することにより、複数種類のシート状タイヤ構成部材の積層体を同時に製造する。
【発明の効果】
【００２３】
本発明によれば、複数種類のシート状タイヤ構成部材を省スペース、かつ高い生産性で製造することができる。
【発明を実施するための最良の形態】
【００２４】
以下、本発明の実施形態について図面を用いて説明する。
図1は本発明の実施形態のシート状タイヤ構成部材製造システムの概略構成を示す図である。このシステムは、シート状タイヤ構成部材製造装置200及びストリップ部材供給装置310からなる。シート状タイヤ構成部材製造装置200は、先に出願したシート状タイヤ構成部材製造装置と同様に構成されている。このシート状タイヤ構成部材製造装置200の詳細については、図３〜５を参照しながら後述する。ストリップ部材供給装置310は、図7に示すインナーライナー製造装置110と同様に構成されている。
【００２５】
そして、詳細については図２を参照しながら後述するが、本実施形態のシート状タイヤ構成部材製造システムは、シート状タイヤ構成部材製造装置200が図示しないコンベアなどの支持体上にストリップ部材片201を配置し、次いでストリップ部材供給装置310が、ストリップ部材片301をストリップ部材片201の上に重ねる。このとき、ストリップ部材片301は、ストリップ部材片201の幅方向に所定距離ずれた位置に重ねる。このずれ量の設定は、コンベアによりストリップ部材片201を所定距離搬送することにより行うこともできるし、シート状タイヤ構成部材200、ストリップ部材供給装置310、及びコンベアの物理的な位置の設定により行うこともできる。なお、ここでは、ストリップ部材片201、301をコンベア上に配置するように説明した。このように構成することも可能であるが、本実施形態では後述する図３乃至図５の説明、及び前述した図７の説明から明らかなように、ストリップ部材の連続体をコンベア上に載せた後に切断してストリップ部材片としている。
【００２６】
次いで、コンベア上に配置されているストリップ部材片201の幅方向の端部に、次のストリップ部材片201を接合し、さらにストリップ部材片301の幅方向の端部に、次のストリップ部材片301を接合する。これらの接合動作をタイヤ1本分の長さになるまで繰り返すことにより、シート状タイヤ構成部材202の上にシート状タイヤ構成部材302が積層された積層体303が得られる。この積層体303を成型ドラム201に巻き付けることにより、２種類のシート状タイヤ構成部材202及び302を１度に巻き付けることができる。
【００２７】
図２は、図１における重ね動作及び接合動作の詳細を示す図である。ここでは、便宜上、３種類のストリップ部材片を重ねる場合を示す。また、ストリップ部材片201が最も下層に配置され、その上にストリップ部材片301、その上にストリップ部材片401が配置される。例えば、ストリップ部材片201はインナーライナー製造用、ストリップ部材片301、401はそれぞれ２層のカーカスプライの製造用である。図において、各ストリップ部材片の符号の下のローマ数字はコンベア上に配置する順番である。
【００２８】
各ストリップ部材片は、幅方向断面形状が偏平な長方形であり、幅方向長はそれぞれＬ1、Ｌ2、Ｌ3である。これらの値は、各タイヤ構成部材の種類に応じた値に設定する。同一の値に設定した場合は、原材料ロールから積層した状態で巻き出し、コンベア上に供給することができるという利点がある。また、各ストリップ部材片の長さ(図１０のＷに対応)を略同じにすることで、可能な限り多くの種類のストリップ部材片を重ねることができる。しかしながら、各タイヤ構成部材の種類に応じて異なる長さにしてもよい。
【００２９】
まずストリップ部材片201(I)をコンベア上に配置し、次いでストリップ部材片301(II)をストリップ部材片201(I)の上に重ねて配置する。このとき、ストリップ部材片301(II)の幅方向位置が、ストリップ部材片201(I)の幅方向位置に対し、図の左方へ距離Ｌαずれるように重ねる。次に、ストリップ部材片401(III)をストリップ部材301(II)の上に重ねて配置する。このとき、ストリップ部材片401(III)の幅方向位置が、ストリップ部材片301(II)の幅方向位置に対し、図の左方へ距離Ｌβずれるように重ねる。ここで、ＬαとＬβは同じ値でも異なる値でもよい。なお、便宜上、各ストリップ部材片の重なっている面を接触させずに離して図示した。
【００３０】
次にストリップ部材片201(IV)の幅方向の左端部をストリップ部材片201(I)の幅方向の右端部に重ねて接合する。このとき、端部同士の重なり幅をＬ1jとする。次いで、ストリップ部材片301(V)の幅方向の左端部をストリップ部材片301(II)の幅方向の右端部に重ねて接合する。このとき、端部同士の重なり幅をＬ2jとする。次にストリップ部材片401(VI)の幅方向の左端部をストリップ部材片401(III)の幅方向の右端部に重ねて接合する。このとき、端部同士の重なり幅をＬ3jとする。ここで、Ｌ1j、Ｌ2j、Ｌ3jは同じ値でも異なるでもよい。ただし、それらの総和は、Ｌ1、Ｌ2、Ｌ3のうち最小の値以下にすることが必要である。
【００３１】
同様に、ストリップ部材片201(VII)の幅方向の左端部をストリップ部材片201(IV)の幅方向の右端部に重ねて接合し、ストリップ部材片301(VIII)の幅方向の左端部をストリップ部材片301(V)の幅方向の右端部に重ねて接合し、ストリップ部材片401(IX)の幅方向の左端部をストリップ部材片401(VI)の幅方向の右端部に重ねて接合する。これにより、３枚のストリップ部材201の接合体201Tの上に３枚のストリップ部材片301の接合体301Tが配置され、その上に３枚のストリップ部材片401の接合体401Tが配置された積層体が構成される。以後、各接合体の幅方向長が所定のタイヤ構成部材の長さになるまで、各ストリップ部材の端部同士の接合を繰り返すことで、３種類のシート状タイヤ構成部材の積層体が得られる。この積層体を成型ドラム210に巻き付けることで、３層のタイヤ構成部材の巻き付けが１回で完了する。
【００３２】
このように、本実施形態のシート状タイヤ構成部材製造システムによれば、３種類のシート状タイヤ構成部材を成型ドラムに１回で巻き付けることができるため、１種類ずつ順番に巻き付ける図１２のシステムと比べると、生産性を大幅に向上させることができる。また、３種類のストリップ部材片を積層することで、ある層のストリップ部材片の端部同士の接合（接着）力が他の層により補強されるため、接合（接着）力の弱いストリップ部材片を用いることができる。さらに、各ストリップ部材片の幅Ｌ1、Ｌ2、Ｌ3を同一の値に設定しておけば、コンベア上で重ねる代わりに、例えば積層した状態で原材料ロールに保管しておき、そこから積層した状態で巻き出し、コンベア上に供給することもできるので、各ストリップ部材を個々に保管する場合と比べると、原材料ロールを統合できるため、省スペース化に大きな効果を有する。
【００３３】
次に、最下層に配置するシート状タイヤ構成部材201をフィルムインナーライナーとした場合のシート状タイヤ構成部材製造装置200の構成及び動作について説明する。
図３はこのシート状タイヤ構成部材製造装置200の構成を示す図である。このシート状タイヤ構成部材製造装置200は、概略的には、所定幅の樹脂フィルムＦが巻回されている材料ロール１から樹脂フィルムＦを巻き出し、所定長さに切断して樹脂フィルム片を形成し、この樹脂フィルム片を所定枚数コンベア15上に横に並べてその側縁同士を接合することにより、製品タイヤのリム径に対応させた樹脂フィルム部材を形成するものである。
【００３４】
このシート状タイヤ構成部材製造装置200は、インナーライナーの原料である樹脂フィルムＦが巻回されている材料ロール１を備えている。ここで、樹脂フィルムＦは、所定の幅を有し、図４にその断面を示すように、フィルム層Ｆ1の裏面に剥離層Ｆ2が接着材Ｆ3により接着されている。この剥離層Ｆ2は、材料ロール１に巻回されている樹脂フィルムＦの接触面同士が付着しないようにするための接着防止層であり、後述するように、材料ロール１から巻き出された後に剥離される。
【００３５】
フィルム層Ｆ1は例えば厚さ40μｍ程度のナイロン（登録商標）や塩化ビニリデン等からなり、剥離層Ｆ2は厚さ50〜100μｍ程度のＰＥＴ樹脂からなり、予めフィルム層Ｆ1及び剥離層Ｆ2を連続的に成型し、接着剤Ｆ3によりフィルム層Ｆ１の裏面に剥離層Ｆ２を付加した後にロールに巻き取っておく。フィルム層Ｆ1は幅方向断面が偏平な長方形であり、その幅は図１１Ａに示すストリップ部材片201と同様に、例えば直径２インチの円の周長に重ね代となる一定幅Ｌjを加えた値を有する。
【００３６】
また、このシート状タイヤ構成部材製造装置200は、材料ロール１から樹脂フィルムＦを巻き出す巻き出し部２と、巻き出し部２により巻き出された樹脂フィルムＦの張力を調整する巻き出し側フェスツーン３と、巻き出し側フェスツーン３の巻き出し方向下流側に配置されたローラ４、５とを備えており、材料ロール１から巻き出された樹脂フィルムＦはコンベア15に供給される。ここで、巻き出し部２は、基端を中心に揺動可能な巻き出しアーム２aと、その先端側に取り付けられた一対の巻き出しローラ２bとからなる。また、巻き出し側フェスツーン３は、上下方向に延びるフレーム３aと、フレーム３aの上端付近に配置された固定ローラ３b，３cと、フレーム３aに沿って上下動する可動ローラ３dとを備えている。可動ローラ３dはフレーム３a内に設けられたガイド軸３eに沿って上下動する移動体３fに固定されており、移動体３fの上下動により移動体３fと一体的に上下動する。なお、このように移動体３fを上下動させる機構としてはボールねじ及びモータなどの周知の機構を用いることができる。
【００３７】
コンベア15は図示されていないモータにより紙面に垂直な方向へ移動可能である。これにより、後述するように、コンベア15上に載せられて切断された樹脂フィルムをその幅方向へ搬送することができる。コンベア15の上方には、コンベア15の幅方向（搬送方向と直交する方向）に延びるフレーム16が配置されており、フレーム16にはガイドレール17が設けられている。また、フレーム16の一端（図の左端）付近にはローラ６が設けられ、その右側には樹脂フィルムＦの表面を下方へ押し付けるための押付け装置20がガイドレール17に対し、往復移動可能に取り付けられている。また、押付け装置20の左右にはローラ７，８が取り付けられている。さらに、押付け装置20は、ピストンシリンダ機構21を有しており、そのピストンロッドの先端部には、コンベア15上に樹脂フィルムＦのフィルム層Ｆ1を貼り付けるときに、フィルム層Ｆ1をコンベア15の上面方向に押し付ける貼付けローラ22が取り付けられている。つまり、貼付けローラ22はコンベア15の上面に沿ってその幅方向に往復移動可能である。
【００３８】
さらに、フレーム16の左端付近の下方には、樹脂フィルムＦを巻き出すとき、そのフィルム層Ｆ1と剥離層Ｆ2とのずれを防ぐため、ローラ７と貼り付けローラ22との間に位置する樹脂フィルムＦを挟むブレーキ23が設けられている。また、コンベア15の左端付近には、貼付けローラ22の下流側においてフィルム層Ｆ1と剥離層Ｆ2とを分離するためのナイフエッジ25が配置されている。また、ナイフエッジ25の上方には、ナイフエッジ25により分離された剥離層Ｆ2をローラ８の方向へ案内するためのローラ27が配置されている。これらのブレーキ23、ナイフエッジ25及びローラ27も押付け装置20と一体的に往復移動可能に構成されている。つまり、ブレーキ23、ナイフエッジ25及びローラ27もコンベア15の上面に沿ってその幅方向に往復移動可能である。
【００３９】
また、ガイドレール17には、下端に吸着及び先端押さえヘッド19を有する移送装置18が往復移動可能に取り付けられている。つまり、吸着及び先端押さえヘッド19はコンベア15の上面に沿ってその幅方向に往復移動可能である。吸着及び先端押さえヘッド19は、樹脂フィルムＦの先端部の表面を吸着してコンベア15の幅方向の一端部から他端部へ移送する機能、及び移送された樹脂フィルムＦの吸着を解除したとき、移送装置18が有するピストンシリンダ機構の作用により下方へ移動して、コンベア15上に載せられた樹脂フィルムＦの先端をコンベア15の上面に押し付ける機能を備えている。
【００４０】
さらに、コンベア15の上方、かつフレーム16の下方には、コンベア15上に載せられたフィルム層Ｆ1をタイヤのインナーペリフェリＷsに等しい長さに切断するためのカッター26が設けられている。
【００４１】
また、フレーム16の右端付近には、ナイフエッジ25によりフィルム層Ｆ1から剥離され、ローラ８により搬送されている剥離層Ｆ2を後述する巻き取りロール14へ搬送するためのローラ９，10と、剥離層Ｆ2をローラ９の表面に押し付けて、搬送を停止させるためのブレーキ11とが設けられている。
【００４２】
さらに、ローラ10の下流側には、ローラ12と、巻き取り側フェスツーン13と、巻き取り用モータＭtにより駆動される巻き取りロール14とが設けられている。巻き取り側フェスツーン13は、巻き出し側フェスツーン３と同様に、上下方向に延びるフレーム13aと、フレーム13aの上端付近に配置された固定ローラ13b，13cと、フレーム13aに沿って上下動する可動ローラ13dとを備えている。可動ローラ13dはフレーム13a内に設けられたガイド軸13eに沿って上下動する移動体13fに固定されており、移動体13fの上下動により移動体13fと一体的に上下動することにより、搬送されている剥離層Ｆ2の張力を調整する。
【００４３】
また、上述したシート状タイヤ構成部材製造装置200の各モータ等の動作タイミングの制御など、この装置全体の動作の制御を行う制御装置30が設けられている。制御装置30はコンピュータにより構成されており、ＣＰＵ、ＲＡＭ、及びＲＯＭを有しており、ＲＯＭは、表１に示すように、様々なリム径に適合するタイヤのインナーライナーを製造するときに使用する樹脂フィルム片の枚数、及びそれらを接合するときの重ね代の長さが記憶されたテーブルを備えている。なお、ここでは、直径２インチの円の周長に一定長を加えた幅を有する樹脂フィルム製のストリップ部材を用いる場合のテーブルを図示したが、これ以外にも例えば直径３インチの円の周長に一定長を加えた幅を有する樹脂フィルム製のストリップ部材を用いる場合のテーブルを備えている。
【００４４】
【表１】
2008221638.tif 000003
【００４５】
以上のように構成されたシート状タイヤ構成部材製造装置200の動作について説明する。前述のとおり、シート状タイヤ構成部材製造装置200の動作は、ストリップ部材供給装置310の動作と関連しているが、ここでは分かり易くするため、シート状タイヤ構成部材製造装置200の単独の動作、即ち図２のストリップ部材片201(I),(IV),(VII)の接合動作に対応する動作を説明する。
【００４６】
制御装置30において、ユーザにより、タイヤのインナーペリフェリ及リム径の設定値が入力されると、制御装置30のＣＰＵは、入力されたリム径に対応する樹脂フィルム片の使用枚数及び重ね代を表１に示すようなテーブルから読み出し、ＲＡＭに設定する。以後、制御装置30は、ＲＡＭに設定されたデータに基づいて各部を動作させる。
【００４７】
以下の説明では１枚目（実際には１枚目は廃棄するので２枚目となる）の樹脂フィルム片はコンベア15上に形成されているものとする。即ち図３に示すように、材料ロール１に巻回されている樹脂フィルムＦの先端は、巻き出し部２により巻き出され、巻き出し側フェスツーン３、ローラ４，５，６，７、貼り付けローラ22を通り、ナイフエッジ25にて剥離層Ｆ2が剥離され、その剥離層Ｆ2の先端はローラ９，10，12、巻き取り側フェスツーン13を通って巻き取りロール14に到達しており、剥離層Ｆ2が剥離されたフィルム層Ｆ1は、図５Ａに示すように、コンベア15の側方からその幅方向に供給されて載せられ、その後方がカッター26により切断され樹脂フィルム片Ｆ11になっているものとする。また、この樹脂フィルム片Ｆ11をインナーライナーの製造に使用するため、コンベア15をＸ方向へ動作させることにより、樹脂フィルム片を所定距離移動させ、後続する樹脂フィルム片を接合するための幅方向の位置合わせを行ったのとする。さらに、切断されたフィルム層Ｆ11に後続する部分は吸着及び先端押さえヘッド19の下方に位置しているものとする。
【００４８】
まず、制御装置30は、吸着及び先端押さえヘッド19を動作させて、その下方に存在する樹脂フィルムＦの先端を吸着させるとともに、ブレーキ23を動作させて樹脂フィルムＦを固定する。次いで、移送装置18及び押付け装置20を図３に示す位置から右方へ移動させるとともに、材料ロール１から樹脂フィルムＦを巻き出す。このとき、ブレーキ11を動作させるとともにモータＭtの回転を停止させることにより、剥離層Ｆ2の巻き取りを停止させる。この結果、樹脂フィルムＦは、その先端が吸着及び先端押さえヘッド19に保持された状態でコンベア15の右端付近に到達する。このようにして、樹脂フィルムＦは、フィルム層Ｆ1を下方に向けた状態でコンベア15の側方向からコンベア15の上面に沿って搬送される。なお、このとき吸着及び先端押さえヘッド19に保持されている樹脂フィルムＦの先端（図３では右端）部は、剥離層Ｆ2が剥離され、フィルム層Ｆ1が露出している。
【００４９】
樹脂フィルムＦの先端がコンベア15の右端付近の所定位置に到達したとき、移送装置18及び押付け装置20の移動を停止させるとともに、吸着及び先端押さえヘッド19による吸着動作を解除する。このとき、樹脂フィルムＦの先端が吸着及び先端押さえヘッド19から離れなければ、エアブローを使用する。
【００５０】
次に、ピストンシリンダ機構21を動作させて、貼り付けローラ22をストリップ部材Ｆの表面に押し当てるとともに、吸着及び先端押さえヘッド19を同期して下降させる。これにより、吸着及び先端押さえヘッド19は、図５Ｂに示す樹脂フィルムＦの先端部のフィルム層Ｆ1を押さえ、貼り付けローラ22はその後部に位置する樹脂フィルムＦを押さえた状態となる。そして、ナイフエッジ25により樹脂フィルムＦから剥離層Ｆ2が剥離されている状態となる。ここで、貼り付けローラ22の外周面の幅は重ね代の幅よりも広くなっており、貼り付けローラ22の外周面は、図５Ｂにおける樹脂フィルム片Ｆ11と樹脂フィルムＦとの重ね代を含む幅方向位置を押圧する。なお、図５Ｂにおいて、フィルム層Ｆ1及び剥離層Ｆ2の厚さは無視した。
【００５１】
次に、ブレーキ23を解除した後に、吸着及び先端押さえヘッド19で樹脂フィルムＦを図の右端で押さえた状態で、貼り付けローラ22を樹脂フィルムＦの表面に押し当てたまま、押付け装置20を左方へ移動させる。このとき、モータＭtを回転させ、巻き取り側フェスツーン13の下降を利用して、巻き取りロール14により剥離層Ｆ2を巻き取る。また、巻き出し側のフェスツーン３はブレーキをかけて巻き出しを停止している。これにより、樹脂フィルムＦの長手方向に対する貼り付けローラ22の押圧位置が図３の右端から左方（図５Ｂの斜め左下方向）へ移動する。このとき、樹脂フィルムＦの剥離層Ｆ2は、貼り付けローラ22の右側を貼り付けローラ22とともに移動しているナイフエッジ25の右端により剥離され、貼り付けローラ22とローラ27との間を通って、ローラ８の方向へ搬送され、フィルム層Ｆ1の長手方向の全域が樹脂フィルム片Ｆ11に接合される。つまり、樹脂フィルムＦから剥離層Ｆ2から剥離するとともに、剥離層Ｆ2が剥離された樹脂フィルムＦ、即ちフィルム層Ｆ1が図５Ｃに示すように貼り付けられる。
【００５２】
そして、押付け装置20が図３に示すようなコンベア15の左端よりも左方の位置に到達したら、押付け装置20の移動を停止させ、ピストンシリンダ機構21により貼り付けローラ22を上方へ移動させる。次に、吸着及び先端押さえヘッド19を上方へ移動させて、樹脂フィルム片Ｆ11及びフィルム層Ｆ1から離す。このとき、吸着及び先端押さえヘッド19を上方へ移動させても離れなければ、エアブローを用いたり、吸着及び先端押さえヘッド19を右方へ移動させたりする。次いで、移送装置18を左方へ移動させて図３に示す位置に戻し、吸着及び先端押さえヘッド１９を下方へ移動させて、フィルム層Ｆ1を押さえ、カッター26により所定位置で切断する。これにより、コンベア16上には、図５Ｄに示すように、予め設定されているタイヤのインナーペリフェリＷsに等しい長さを有する樹脂フィルム片Ｆ11及びＦ12が接合された状態となる。
【００５３】
以下、図５Ｅに示すように、タイヤの周長に対応する枚数（図ではＮ枚）の樹脂フィルム片が接合されるまで上述した工程を繰り返すことにより、所定のインナーペリフェリ及びリム径を有するタイヤ１本分のシート状のインナーライナーが出来上がる。
【００５４】
このように、シート状タイヤ構成部材製造装置200によれば、接着防止用の剥離層が付加された一定幅（２インチ、３インチなど、１インチよりも大きな整数のインチ）の樹脂フィルムＦを所定量（所定長）ずつ間欠的にコンベア15上に配置し、タイヤのインナーペリフェリに相当する長さに切断するとともに、タイヤのリム径に応じて予め設定されている枚数の樹脂フィルム片を、タイヤのリム径に応じて予め設定されている重ね代を設けて重ねていくので、１インチ幅の帯状ゴム部材片を用いる従来装置と比べ、接合する枚数が低減するため、接合に要する時間が短縮されることにより生産性が向上する。また、２インチ以上の固定幅の樹脂フィルムＦを用いても、重ね代を変化させることにより、様々なリム径に対応するインナーライナーの製造が可能である。さらに、樹脂フィルム片の長さを変えることにより、様々な幅を有するシート状タイヤ構成部材を製造することができる。材料ロール１に巻回された樹脂フィルムＦから効率良くシート状タイヤ構成部材を製造することができる。
【００５５】
なお、以上の実施形態では、ストリップ部材片の作成及び接合をコンベア上で実行しているが、回転ドラム上で実行することもできる。また、ストリップ部材片の幅方向の厚みを均一にする代わりに、図８に示すように両端部を先細にしてもよいし、両端部を中央部よりも薄い一定の厚さにしてもよい。また、以上の実施形態では、コンベア15の搬送方向に対し、樹脂フィルム片Ｆ11を垂直方向に貼り付けているが、コンベア15の延びる方向に対し、フレーム16の延びる方向を斜めに設定することにより、コンベア15の搬送方向に対し、任意の角度の斜め方向に貼り付けることもできる。さらに、貼り付けロール22に代えて、クローラー（無限軌道）により貼り付けるように構成してもよい。
【図面の簡単な説明】
【００５６】
【図１】本発明の実施形態のシート状タイヤ構成部材製造システムの概略構成を示す図である。
【図２】図１における重ね動作及び接合動作の詳細を示す図である。
【図３】本発明の実施形態のシート状タイヤ構成部材の構成を示す図である。
【図４】本発明の実施形態のシート状タイヤ構成部材製造装置で使用する樹脂フィルムの幅方向断面図である。
【図５】本発明の実施形態のシート状タイヤ構成部材製造装置のコンベア上でストリップ部材片が接合される様子を示す図である。
【図６】空気入りタイヤの断面図である。
【図７】従来のインナーライナー製造装置の概略構成を示す斜視図である。
【図８】従来のインナーライナー製造装置で使用するストリップ部材の幅方向断面図である。
【図９】従来のインナーライナー製造装置のコンベア上でストリップ部材が接合される様子を幅方向断面図である。
【図１０】従来のインナーライナー製造装置にて製造されたインナーライナーの平面図である。
【図１１】先に出願したシート状タイヤ構成部材の製造方法の概要を示す図である。
【図１２】先に出願したシート状タイヤ構成部材の製造方法により、複数種類のシート状タイヤ構成部材を製造する方法の概要を示す図である。
【符号の説明】
【００５７】
１・・・材料ロール、２・・・巻き出し部、３・・・巻き出し側フェスツーン、11，23・・・ブレーキ、13・・・巻き取り側フェスツーン、14・・・巻き取りロール、15・・・コンベア、18・・・移送装置、19・・・吸着及び先端押さえヘッド、20・・・押付け装置、22・・・貼り付けロール、25・・・ナイフエッジ、26・・・カッター、30・・・制御装置、200・・・シート状タイヤ構成部材製造装置、201，301，401・・・ストリップ部材片、202，302・・・シート状タイヤ構成部材、210・・・成型ドラム、310・・・ストリップ部材供給装置。
【図１】
2008221638.tif 000004
【図２】
2008221638.tif 000005
【図３】
2008221638.tif 000006
【図４】
2008221638.tif 000007
【図５】
2008221638.tif 000008
【図６】
2008221638.tif 000009
【図７】
2008221638.tif 000010
【図８】
2008221638.tif 000011
【図９】
2008221638.tif 000012
【図１０】
2008221638.tif 000013
【図１１】
2008221638.tif 000014
【図１２】
2008221638.tif 000015